(57)【要約】【課題】目開部における塵芥の目詰まりを防止でき、且つ、スクリーンの製作の簡易化をも可能にする水路設置型スクリーン構造を提供すること。【解決手段】複数のバー１２を並設させてなり、各目開部１４には上流側から塵芥掻き取り用のレーキ１６の歯１８が挿入される水路設置型スクリーン構造１０において、バー１２は、その一辺において、一端側に第１の平坦部２７と、それに連続し、窪み部２８及び第２の平坦部３０の一対から構成される櫛歯部３２が、ｎ（ｎ＝１以上の整数）個、長手方向に沿って、他端に向けて形成されており、バー１２を複数並設させた状態において、バー１２の隣接同士が、互いに長手方向で反対向きとなっているものとした。【選択図】図４
2015071883.tif 000002
【特許請求の範囲】
【請求項１】
複数のバーを並設させてなり、各目開部には上流側から塵芥掻き取り用のレーキの歯が挿入される水路設置型スクリーン構造において、
前記バーは、その一辺において、一端側に第１の平坦部と、それに連続し、窪み部及び第２の平坦部の一対から構成される櫛歯部が、ｎ（ｎ＝１以上の整数）個、長手方向に沿って、他端に向けて形成されており、
前記バーを複数並設させた状態において、当該バーの隣接同士が、互いに長手方向で反対向きとなっていることを特徴とする水路設置型スクリーン構造。
【請求項２】
複数のバーを並設させてなり、各目開部には上流側から塵芥掻き取り用のレーキの歯が挿入される水路設置型スクリーン構造において、
前記バーは、その一辺において、一端側に第１の平坦部と、それに連続し、窪み部及び第２の平坦部の一対から構成される櫛歯部が、ｎ（ｎ＝１以上の整数）個、長手方向に沿って、他端に向けて形成されており、
前記バーを複数並設させた状態において、当該バーのうち、所定のバーが、他のバーと互いに長手方向で反対向きとなっていることを特徴とする水路設置型スクリーン構造。
【請求項３】
前記バーの長手方向における、前記第１の平坦部の長さをａ、前記窪み部の長さをｂ、前記第２の平坦部の長さをｃとした時に、ａ＋ｂ≦ｃの関係になっていることを特徴とする請求項１又は２記載の水路設置型スクリーン構造。
【請求項４】
前記バーは、複数並設させた状態において、各バーに形成されている前記窪み部の底辺部が、前記レーキの歯の先端に対して同位置又は上流寄りに位置するよう配置されていることを特徴とする請求項１〜３何れか１項記載の水路設置型スクリーン構造。
【請求項５】
前記バーの上流側の前端部は、側面視円弧状となっていることを特徴とする請求項１〜４何れか１項記載の水路設置型スクリーン構造。
【請求項６】
前記バーの上流側の前端部は、上流側に向けて側面視幅広となっていることを特徴とする請求項１〜４何れか１項記載の水路設置型スクリーン構造。
【発明の詳細な説明】
【技術分野】
【０００１】
本発明は、水路に設置されることで用いられる水路設置型スクリーン、特に、塵芥の目詰まりを防止することができ、さらに、製造の簡易化も図れる水路設置型スクリーンの構造に関するものである。
【背景技術】
【０００２】
従来から、複数のバーを並設してなる水路設置型スクリーンの構造として、例えば、特許文献１には、自動除塵機のバースクリーンにおいて、平板状のスクリーンバー母材の流入側に、別途製作した断面コ字形を有する嵌合部材を嵌合して一体とし、スクリーンの流出側目開寸法を大なるように構成した閉塞防止形スクリーンが開示されており、この技術により自動除塵機における細目スクリーンの目開部に異物が詰まるのを防止することができるとしている。
【０００３】
しかし、上記特許文献１に開示されている閉塞防止形スクリーンは、バーとは別体の嵌合部材を要する構造となっているため、部品点数が増えるとともに、スクリーンの製造時には、嵌合部材をバーに嵌合させるという作業を行わなくてはならず、製造の簡易化という面での効果は薄いと言われている。
【０００４】
そこで、この問題を解決するための技術として、特許文献２には、並設される複数のバーからなり、各目開部には上流側からし渣掻き取り用のレーキの歯が挿入される水路設置型のスクリーンの構造であって、レーキの歯の先端に対して後端部が下流寄りに位置する第１のバーと、レーキの歯の先端に対して後端部が同位置若しくは上流寄りに位置する第２のバーとを交互に配設したことを特徴とするスクリーンの構造が開示されている。
【０００５】
そして、この構造によれば、第１のバーと第２のバーの各側面によって形成される目開部には、レーキの歯が必ず通過するので、し渣の目詰まりが生じず、歯が届かない下流寄りの目開部は、十分に離間した第１のバー同士の側面によって目開寸法が大きく形成されるため、し渣の目詰まりが生じないとされている。
【先行技術文献】
【特許文献】
【０００６】
【特許文献１】実開平０６−８５４２３号公報
【特許文献２】特許第４６４４１５４号公報
【発明の概要】
【発明が解決しようとする課題】
【０００７】
しかしながら、上記特許文献２に開示されているスクリーンの構造は、第１のバーと、第２のバーと、全く異なった形状のバーを製作することになってしまうため、製作の簡易化という面では、やはりそれほどの効果が生じないと言われていた。
【０００８】
本発明は、上述の課題を解決するためのもので、目開部における塵芥の目詰まりを防止でき、且つ、スクリーンの製作の簡易化をも可能にする水路設置型スクリーン構造を提供することにある。
【課題を解決するための手段】
【０００９】
上記目的を達成するため、本発明は、以下の技術的手段を講じている。
即ち、請求項１記載の発明は、複数のバーを並設させてなり、各目開部には上流側から塵芥掻き取り用のレーキの歯が挿入される水路設置型スクリーン構造において、前記バーは、その一辺において、一端側に第１の平坦部と、それに連続し、窪み部及び第２の平坦部の一対から構成される櫛歯部が、ｎ（ｎ＝１以上の整数）個、長手方向に沿って、他端に向けて形成されており、  前記バーを複数並設させた状態において、当該バーの隣接同士が、互いに長手方向で反対向きとなっていることを特徴とする水路設置型スクリーン構造である。
【００１０】
また、請求項２記載の発明は、複数のバーを並設させてなり、各目開部には上流側から塵芥掻き取り用のレーキの歯が挿入される水路設置型スクリーン構造において、前記バーは、その一辺において、一端側に第１の平坦部と、それに連続し、窪み部及び第２の平坦部の一対から構成される櫛歯部が、ｎ（ｎ＝１以上の整数）個、長手方向に沿って、他端に向けて形成されており、  前記バーを複数並設させた状態において、当該バーのうち、所定のバーが、他のバーと互いに長手方向で反対向きとなっていることを特徴とする水路設置型スクリーン構造である。
【００１１】
さらに、請求項３記載の発明は、請求項１又は２記載の水路設置型スクリーン構造であって、前記バーの長手方向における、前記第１の平坦部の長さをａ、前記窪み部の長さをｂ、前記第２の平坦部の長さをｃとした時に、ａ＋ｂ≦ｃの関係になっていることを特徴としている。そして、請求項４記載の発明は、請求項１〜３何れか１項記載の水路設置型スクリーン構造であって、前記バーは、複数並設させた状態において、各バーに形成されている前記窪み部の底辺部が、前記レーキの歯の先端に対して同位置又は上流寄りに位置するよう配置されていることを特徴としている。
【００１２】
さらに、請求項５記載の発明は、請求項１〜４何れか１項記載の水路設置型スクリーン構造であって、前記バーの上流側の前端部は、側面視円弧状となっていることを特徴としている。また、請求項６記載の発明は、請求項１〜４何れか１項記載の水路設置型スクリーン構造であって、前記バーの上流側の前端部は、上流側に向けて側面視幅広となっていることを特徴としている。
【発明の効果】
【００１３】
本発明によると、目開部における塵芥の目詰まりを防止することができ、さらに、スクリーンを構成するバーが、１種類の形状で事足りるため、スクリーンの製造の簡易化が可能となる。
【図面の簡単な説明】
【００１４】
【図１】本発明に係る水路設置型スクリーン構造の実施形態からなるスクリーンを示した正面図である。
【図２】本発明に係る水路設置型スクリーン構造の実施形態におけるバーの形状を示す平面図で、（ａ）と（ｂ）は、それぞれ互いに長手方向に反対向きにしたものである。
【図３】本発明に係る水路設置型スクリーン構造の実施形態からなるスクリーンを示したもので、（ａ）は図１のＡ−Ａ断面図、（ｂ）は図１のＢ−Ｂ断面図である。
【図４】本発明に係る水路設置型スクリーン構造の実施形態からなるスクリーンを示したもので、（ａ）は図３のＣ−Ｃ断面図、（ｂ）は図３のＤ−Ｄ断面図である。
【図５】本発明に係る水路設置型スクリーン構造の他の実施形態からなるスクリーンも、図３におけるＣ−Ｃ断面図に該当する図である。
【図６】本発明に係る水路設置型スクリーン構造の実施形態からなるスクリーンを示した側断面図で、（ａ）はバーの上流側の前端部が先端に向けて幅広な形状、（ｂ）はバーの上流側の前端部が円弧状、（ｃ）はバーの上流側の前端部が四角形状のものを示している。
【発明を実施するための形態】
【００１５】
以下、本発明の実施形態について、図面を参照して説明する。
図１は、本発明に係る水路設置型スクリーン構造の実施形態からなるスクリーンを示した正面図で、図２は、本発明に係る水路設置型スクリーン構造の実施形態におけるバーの形状を示す平面図で、（ａ）と（ｂ）は、それぞれ互いに長手方向に反対向きにしたものである。
【００１６】
また、図３は、本発明に係る水路設置型スクリーン構造の実施形態からなるスクリーンを示したもので、（ａ）は図１のＡ−Ａ断面図、（ｂ）は図１のＢ−Ｂ断面図で、図４は、本発明に係る水路設置型スクリーン構造の実施形態からなるスクリーンを示したもので、（ａ）は図３のＣ−Ｃ断面図、（ｂ）は図３のＤ−Ｄ断面図である。
【００１７】
符号については、１０が水路設置型スクリーン、１２がバー、１４が目開部、１６がレーキ、１８がレーキの歯、２０が駆動機構、２２がチェーン、２４が遮蔽板、２６が後端部、２７が第１の平坦部、２８が窪み部、３０が第２の平坦部、３２が櫛歯部、３４が連結孔、３６が連結棒、３８が上スクリーン受け、４０が下スクリーン受け、４２が前端部を示している。
【００１８】
本実施形態における水路設置型スクリーン１０は、矩形断面の水路に設置されるもので、図１に示すように、複数のバー１２を水路幅方向に並設してなるもので、水路の側面と、水路設置型スクリーン１０との間には、遮蔽板２４が設置されている。また、水路設置型スクリーン１０は、図３に示すように、上方が下流寄りに位置するように傾斜をもたせて設置されている。
【００１９】
そして、図４（ａ）に示すように、バー１２間の目開部１４には、塵芥掻き取り用のレーキ１６の歯１８が上流側から挿入されるようになっている。レーキ１６は、水路幅方向に延設される板状部材であり、バー１２同士の間隔に対応して複数の歯１８が等間隔で形成されている。
【００２０】
続いて、本実施形態では、レーキ１６の駆動は、図３（ｂ）に一点鎖線で示すように、天井区画と、水路底にそれぞれ設けた駆動機構２０と、この駆動機構２０に掛け渡したチェーン２２にレーキ１６を取り付けることにより行われる。そして、上方の駆動機構２０を半時計回りに回転させることで、レーキ１６が、水路設置型スクリーン１０において、上方へと移動し、水路設置型スクリーン１０の塵芥を掻き上げるようになっている。
【００２１】
次に、本実施形態における水路設置型スクリーン１０を構成するバー１２は、図２（ａ）に示すように、平面視、横長の板状となっており、その一辺において、一端側に第１の平坦部２７と、それに連続し、窪み部２８及び第２の平坦部３０の一対から構成される櫛歯部３２が、３個、長手方向に沿って、他端に向けて連続して形成されている。なお、図中、ａは第１の平坦部２７の長さ、ｂは窪み部２８の長さ、ｃは第２の平坦部３０の長さを示している。
【００２２】
一方、図２（ｂ）は、（ａ）のバー１２を長手方向に反対向きにした状態を示しており、これらを示されている方向と同方向にて互いに隣接させると、図中左側においては、（ａ）の第１の平坦部２７と、窪み部２８の位置が、（ｂ）の第２の平坦部３０の位置に対応し、途中では、（ａ）の第２の平坦部３０の位置が、（ｂ）の窪み部２８の位置に対応し、図中右側においては、（ａ）の第２の平坦部３０の位置が、（ｂ）の第１の平坦部２７と、窪み部２８の位置に対応することになる。
【００２３】
続いて、図４（ａ）に示すように、バー１２は、所定間隔をもって並設されることで、水路設置型スクリーン１０を構成することになるが、隣接同士のバー１２は、それぞれ交互に長手方向で反対向きにして並設されている。ここで、図４（ａ）中、破線となっている部分が、バー１２の窪み部２８を意味し、このバー１２に隣接するバー１２の該当部分は、実線、即ち、第２の平坦部３０を意味している。
【００２４】
そして、バー１２同士間である目開部１４それぞれには、レーキ１６の歯１８が挿入され、本実施形態では、その歯１８の先端が、バー１２の窪み部２８の底辺位置よりも上流側（同位置でも良い）となっている。このように、隣接同士のバー１２を交互に、長手方向で反対向きに並設させれば、バー１２同士の側面によって形成される窪み部２８の底辺位置よりも上流寄りの目開部１４には、レーキ１６の歯１８が通過するので、塵芥の目詰まりが生じない。
【００２５】
そして、レーキ１６の歯１８が届かない窪み部２８の底辺位置よりも下流寄りの目開部１４は、バー１２の窪み部２８を通じた、他のバー１２の第２の平坦部３０同士となり、十分に離間するため、塵芥の目詰まりが生じないことになる。なお、図中に示すｃは、ａ＋ｂ≦ｃの関係になるよう設計すると、（ａ）と（ｂ）の対応が的確なものとなり、バー１２間での塵芥の目詰まりを効率的に防止することが可能となる。
【００２６】
続いて、図３に示すように、バー１２には、それぞれ、水路幅方向に貫通する連結孔３４が形成されており、図４（ｂ）に示すように、バー１２の各連結孔３４に、連結棒３６を貫通させて、各バー１２を互いに連結させる構成を採っている。また、バー１２は、第２の平坦部３０の所定箇所において、遮蔽板２４に掛け渡した上スクリーン受け３８、下スクリーン受け４０それぞれに溶接等で固定される。
【００２７】
なお、本発明の他の実施形態として、図５に示すように、複数のバー１２を並設させる際に、任意の位置に設置するバー１２を他のバー１２と長手方向で反対向きとなるようにしても良い。つまり、本実施形態においては、図中、上から４個目と、８個目のバー１２が他のバー１２と反対向きとされている。破線となっている部分が、バー１２の窪み部２８を意味し、このバー１２に隣接するバー１２の該当部分は、実線、即ち、第２の平坦部３０を意味している。
【００２８】
続いて、本発明の他の実施形態について、図６を参照しながら説明する。図６は、本発明に係る水路設置型スクリーン構造の実施形態からなるスクリーンを示した側断面図で、（ａ）はバーの上流側の前端部が先端に向けて幅広な形状、（ｂ）はバーの上流側の前端部が円弧状、（ｃ）はバーの上流側の前端部が四角形状のものを示している。
【００２９】
本発明の実施形態におけるバー１２は、前述の通りの構成としているが、このバー１２の上流側に位置する前端部４２の形状については、まず、（ａ）に示したバー１２は、前述の実施形態とは異なり、前端部４２の形状を先端に向けて幅広な形状としている。バー１２の厚みとしては、ｔ１＞ｔ２の関係にある。なお、図中、破線の部分は、窪み部２８を表している。
【００３０】
次に、（ｂ）に示したバー１２は、前端部４２の形状を円弧状としており、バー１２の厚みとしては、ｔ１＞ｔ２の関係にある。これらの形状を採用することで、（ｃ）に示す前述の実施形態と同様の前端部４２の形状を有するバー１２（前端部４２が四角形状で、厚みがｔ１＝ｔ２の関係にある）を用いる場合に比べ、より目詰まりが発生しにくいという効果が生じることが分かっている。
【００３１】
以上のように、本発明に係る水路設置型スクリーン構造によれば、バー１２の製造を１種類の形状としても、目詰まりを効果的に防止することができるため、水路設置型スクリーン自体の製造コストを大幅に削減することが可能となる。
【００３２】
なお、本実施形態では、バー１２を立てた状態で水路幅方向に並設させる縦引きスクリーンに関して説明しているが、例えば、バー１２を横にして上下方向に並設させる横引きスクリーンとしても本発明は適用可能である。
【符号の説明】
【００３３】
１０  水路設置型スクリーン
１２  バー
１４  目開部
１６  レーキ
１８  レーキの歯
２０  駆動機構
２２  チェーン
２４  遮蔽板
２６  後端部
２７  第１の平坦部
２８  窪み部
３０  第２の平坦部
３２  櫛歯部
３４  連結孔
３６  連結棒
３８  上スクリーン受け
４０  下スクリーン受け
４２  前端部
【図１】
2015071883.tif 000003
【図２】
2015071883.tif 000004
【図３】
2015071883.tif 000005
【図４】
2015071883.tif 000006
【図５】
2015071883.tif 000007
【図６】
2015071883.tif 000008